(57)【要約】静電容量方式のタッチパネル機能を具備する表示装置（１００）に設けられた表示部（１１０）が情報を表示し、センサ（１２０）が、表示部（１１０）上の静電容量の変化量を計測し、計測した静電容量の変化量と、静電容量に変化があった位置を示す位置情報とを出力し、制御部（１３０）が、センサ（１２０）から出力された静電容量の変化量に基づいて、表示部（１１０）に指が接近したかどうかを判断し、表示部（１１０）に指が接近したと判断した場合、位置情報が示す位置に応じた表示部（１１０）上の座標を確定し、表示部（１１０）に、表示部（１１０）が表示している画面を、確定した座標を中心に所定の倍率で拡大して表示させ、表示部（１１０）に指が接近していないと判断するまで、座標を固定する。
2011027665.tif 000002
【特許請求の範囲】
【請求項１】
静電容量方式のタッチパネル機能を具備する表示装置であって、
情報を表示する表示部と、
前記表示部上の静電容量の変化量を計測し、該計測した静電容量の変化量と、前記静電容量に変化があった位置を示す位置情報とを出力するセンサと、
前記センサから出力された静電容量の変化量に基づいて、前記表示部に指が接近したかどうかを判断し、前記表示部に指が接近したと判断した場合、前記位置情報が示す位置に応じた前記表示部上の座標を確定し、前記表示部に、該表示部が表示している画面を、前記確定した座標を中心に所定の倍率で拡大して表示させ、前記表示部に前記指が接近していないと判断するまで、前記座標を固定する制御部とを有する表示装置。
【請求項２】
請求項１に記載の表示装置において、
前記制御部は、
前記センサから出力された静電容量の変化量に基づいて、前記表示部に前記指が接近したかどうかを判断する接近判断部と、
前記接近判断部が前記表示部に前記指が接近したと判断した場合、前記位置情報が示す位置に応じた前記表示部上の座標を確定し、前記接近判断部が前記表示部に前記指が接近していないと判断するまで、前記座標を固定する座標確定部と、
前記接近判断部が前記表示部に前記指が接近したと判断した場合、前記表示部に、該表示部が表示している画面を、前記座標確定部が確定した座標を中心に所定の倍率で拡大して表示させる拡大処理部とを有することを特徴とする表示装置。
【請求項３】
請求項２に記載の表示装置において、
前記接近判断部は、前記センサが計測した静電容量の変化量があらかじめ設定された第１の閾値以上であり、かつあらかじめ設定された第２の閾値よりも小さな値である場合、前記表示部に前記指が接近したと判断し、前記センサが計測した静電容量の変化量が、前記第２の閾値以上の値である場合、前記表示部に前記指が接触したと判断することを特徴とする表示装置。
【請求項４】
請求項２に記載の表示装置において、
前記拡大処理部は、前記表示部に、該表示部が表示している画面のうち、前記座標確定部が確定した座標を中心とした所定の範囲を拡大して表示させることを特徴とする表示装置。
【請求項５】
請求項２に記載の表示装置において、
前記座標確定部は、前記位置情報が示す位置を前記表示部上へ投影した位置を前記座標として確定することを特徴とする表示装置。
【請求項６】
静電容量方式のタッチパネル機能を具備する表示装置に設けられた表示部に情報を表示させる表示方法であって、
前記表示部上の静電容量の変化量を計測する処理と、
前記計測した静電容量の変化量に基づいて、前記表示部に指が接近したかどうかを判断する処理と、
前記静電容量に変化があった位置に応じた前記表示部上の座標を確定する処理と、
前記表示部に、該表示部が表示している画面を、前記確定した座標を中心に所定の倍率で拡大して表示させる処理と、
前記表示部に前記指が接近していないと判断するまで、前記座標を固定する処理とを行う表示方法。
【請求項７】
請求項６に記載の表示方法において、
前記計測した静電容量の変化量があらかじめ設定された第１の閾値以上であり、かつあらかじめ設定された第２の閾値よりも小さな値である場合、前記表示部に前記指が接近したと判断する処理と、
前記計測した静電容量の変化量が、前記第２の閾値以上の値である場合、前記表示部に前記指が接触したと判断する処理とを行うことを特徴とする表示方法。
【請求項８】
請求項６に記載の表示方法において、
前記表示部に、該表示部が表示している画面のうち、前記確定した座標を中心とした所定の範囲を拡大して表示させる処理を行うことを特徴とする表示方法。
【請求項９】
請求項６に記載の表示方法において、
前記静電容量に変化があった位置を前記表示部上へ投影した位置を前記座標として確定する処理を行うことを特徴とする表示方法。
【請求項１０】
静電容量方式のタッチパネル機能を具備する表示装置に、
当該表示装置に設けられた表示部に情報を表示させる手順と、
前記表示部上の静電容量の変化量を計測する手順と、
前記計測した静電容量の変化量に基づいて、前記表示部に指が接近したかどうかを判断する手順と、
前記静電容量に変化があった位置に応じた前記表示部上の座標を確定する手順と、
前記表示部に、該表示部が表示している画面を、前記確定した座標を中心に所定の倍率で拡大して表示させる手順と、
前記表示部に前記指が接近していないと判断するまで、前記座標を固定する手順とを実行させるためのプログラム。
【請求項１１】
請求項１０に記載のプログラムにおいて、
前記計測した静電容量の変化量があらかじめ設定された第１の閾値以上であり、かつあらかじめ設定された第２の閾値よりも小さな値である場合、前記表示部に前記指が接近したと判断する手順と、
前記計測した静電容量の変化量が、前記第２の閾値以上の値である場合、前記表示部に前記指が接触したと判断する手順とを実行させるためのプログラム。
【請求項１２】
請求項１０に記載のプログラムにおいて、
前記表示部に、該表示部が表示している画面のうち、前記確定した座標を中心とした所定の範囲を拡大して表示させる手順を実行させるためのプログラム。
【請求項１３】
請求項１０に記載のプログラムにおいて、
前記静電容量に変化があった位置を前記表示部上へ投影した位置を前記座標として確定する手順を実行させるためのプログラム。
【発明の詳細な説明】
【技術分野】
【０００１】
本発明は、情報を表示する表示装置、表示方法およびプログラムに関する。
【背景技術】
【０００２】
近年、タッチパネル機能が具備された情報端末等の表示装置が普及している。このタッチパネル機能の中で、静電容量方式のタッチパネルデバイスが搭載された表示装置も市場に流通している。【０００３】
これらの静電容量方式のタッチパネルデバイスが搭載された表示装置では、ディスプレイに表示された画面の中から指を使用して所望の領域を選択する。そのため、当該領域が小さな（狭い）場合、スタイラスペンを利用して選択を行う抵抗膜方式タッチパネルデバイスが搭載された表示装置における選択と比較して、所望の領域を正確に選択することが困難である場合がある。【０００４】
このような問題は、ディスプレイに静電容量式タッチパネルデバイスを組み合わせた携帯端末で顕著に現れる。携帯端末の場合、ディスプレイサイズが小さいため、ＵＩ（Ｕｓｅｒ  Ｉｎｔｅｒｆａｃｅ）部品（ボタン、リンク等）の反応領域として、指で操作し易い十分に大きな（広い）サイズを確保できない場合が多い。すると、操作時に所望のボタン以外のボタンやリンクを押下してしまったりする誤操作が起こりやすい。【０００５】
特にブラウザの画面では、小さなディスプレイ上にできる限り多くの情報量を表示するため、ブラウザ上の表示文字サイズを全体的に小さくする必要がある。その場合、リンクを指でタップして選択し難いという問題がある。【０００６】
また、携帯端末のディスプレイ上にソフトウェアキーボードを表示して操作する場合は、表示するボタン数が非常に多いため、１つ１つのボタンが小さく表示される。すると、意図したボタンとは別のボタンを押し間違え易いという問題がある。【０００７】
上述した問題を解決するには、ディスプレイ上の情報を拡大表示し、ボタンやリンク等を大きく表示することで選択し易くする方法がある。しかし、ディスプレイ上の情報を拡大表示する方法には、以下の問題がある。【０００８】
ディスプレイに情報を拡大して表示した場合、１画面上に表示できる情報量が少なくなる。そのため、画面をスクロールする操作が頻繁に発生する。例えば、ブラウザやメーラを操作する場合、拡大表示するとリンク等のサイズは大きくなり、指で選択操作し易くなる。しかしながら、１画面に表示できる情報量が少なくなるため、ページの全体像（レイアウト）が把握し難いことや、スクロール操作を多用しなければならない等により、ユーザビリティを劣化させてしまうという問題が生じてしまう。【０００９】
そこで、指等の物体がディスプレイに接近したことを検出すると、接近した一部の部分領域を拡大表示する技術が考えられている（例えば、特許文献１参照。）。
【先行技術文献】
【特許文献】
【００１０】
【特許文献１】特開２００８−００９７５９号公報
【発明の概要】
【発明が解決しようとする課題】
【００１１】
特許文献１に記載されたような技術においては、表示画面が複数の部分領域にあらかじめ分割されており、操作したい領域に対して指等を接近させると、検知された指等の位置が含まれる部分領域が拡大表示されるものである。そのため、指等を画面に接近させて画面を拡大表示させるための指等の位置と、拡大表示させた後に操作する領域に触れる指等の位置とが異なる場合が多く、その都度、指等の位置を変えなければならないという問題点がある。【００１２】
本発明の目的は、上述した課題を解決する表示装置、表示方法およびプログラムを提供することである。
【課題を解決するための手段】
【００１３】
本発明の表示装置は、
静電容量方式のタッチパネル機能を具備する表示装置であって、
情報を表示する表示部と、
前記表示部上の静電容量の変化量を計測し、該計測した静電容量の変化量と、前記静電容量に変化があった位置を示す位置情報とを出力するセンサと、
前記センサから出力された静電容量の変化量に基づいて、前記表示部に指が接近したかどうかを判断し、前記表示部に指が接近したと判断した場合、前記位置情報が示す位置に応じた前記表示部上の座標を確定し、前記表示部に、該表示部が表示している画面を、前記確定した座標を中心に所定の倍率で拡大して表示させ、前記表示部に前記指が接近していないと判断するまで、前記座標を固定する制御部とを有する。【００１４】
また、本発明の表示方法は、
静電容量方式のタッチパネル機能を具備する表示装置に設けられた表示部に情報を表示させる表示方法であって、
前記表示部上の静電容量の変化量を計測する処理と、
前記計測した静電容量の変化量に基づいて、前記表示部に指が接近したかどうかを判断する処理と、
前記静電容量に変化があった位置に応じた前記表示部上の座標を確定する処理と、
前記表示部に、該表示部が表示している画面を、前記確定した座標を中心に所定の倍率で拡大して表示させる処理と、
前記表示部に前記指が接近していないと判断するまで、前記座標を固定する処理とを行う。【００１５】
また、本発明のプログラムは、
静電容量方式のタッチパネル機能を具備する表示装置に実行させるためのプログラムであって、
当該表示装置に設けられた表示部に情報を表示させる手順と、
前記表示部上の静電容量の変化量を計測する手順と、
前記計測した静電容量の変化量に基づいて、前記表示部に指が接近したかどうかを判断する手順と、
前記静電容量に変化があった位置に応じた前記表示部上の座標を確定する手順と、
前記表示部に、該表示部が表示している画面を、前記確定した座標を中心に所定の倍率で拡大して表示させる手順と、
前記表示部に前記指が接近していないと判断するまで、前記座標を固定する手順とを実行させる。
【発明の効果】
【００１６】
以上説明したように本発明においては、ユーザビリティを劣化させることなく、タッチパネルを用いた誤入力を容易に防ぐことができる。
【図面の簡単な説明】
【００１７】
【図１】本発明の表示装置の実施の一形態を示す図である。
【図２】図１に示した表示装置における表示方法を説明するためのフローチャートである。
【図３】ステップ１にて図１に示した表示部に表示された画面の一例を示す図である。
【図４】図１に示した表示部に表示された画面に指が接近し、ステップ４の処理によって中心座標が確定された様子を示す図である。
【図５】図４に示した破線で囲んだ範囲がステップ５の処理によって拡大表示された様子を示す図である。
【図６】表示部にて拡大表示された拡大表示領域と、拡大表示されない非拡大表示領域との一例を示す図である。
【発明を実施するための形態】
【００１８】
以下に本発明の実施の形態について図面を参照して説明する。
【００１９】
図１は、本発明の表示装置の実施の一形態を示す図である。
【００２０】
本形態における表示装置１００は図１に示すように、表示部１１０と、センサ１２０と、それらを制御する制御部１３０とが設けられている静電容量方式のタッチパネル機能を具備する装置である。なお、図１には本発明の表示装置１００の構成要素のうち、本発明に係わる構成要素のみを示した。
【００２１】
表示部１１０は、制御部１３０からの指示に従い、情報を表示するディスプレイである。例えば、表示部１１０は、ＬＣＤ（Ｌｉｑｕｉｄ  Ｃｒｙｓｔａｌ  Ｄｉｓｐｌａｙ：液晶ディスプレイ）が例に挙げられる。
【００２２】
センサ１２０は、静電容量式タッチパネルデバイスであり、表示部１１０上の静電容量の変化量を計測する。また、センサ１２０は、計測した静電容量の変化量を制御部１３０へ出力する。また、センサ１２０は、静電容量に変化があった位置、つまり指の位置を示す位置情報を制御部１３０へ出力する。また、センサ１２０は、表示部１１０を用いて指による入力操作が行われた場合、当該入力操作を制御部１３０へ通知する。
【００２３】
また、制御部１３０には図１に示すように、接近判断部１４０と、座標確定部１５０と、拡大処理部１６０とが設けられている。
【００２４】
接近判断部１４０は、センサ１２０から出力されてきた静電容量の変化量に基づいて、表示部１１０に指が接近したかどうか、および表示部１１０に指が接触したかどうかを判断する。このとき、接近判断部１４０は、センサ１２０から出力されてきた静電容量の変化量があらかじめ設定された第１の閾値以上であり、かつあらかじめ設定された第２の閾値よりも小さな値である場合、表示部１１０に指が接近したと判断する。また、接近判断部１４０は、センサ１２０から出力されてきた静電容量の変化量が、第２の閾値以上の値である場合、表示部１１０に指が接触したと判断する。
【００２５】
座標確定部１５０は、センサ１２０から出力されてきた位置情報が示す位置に応じた表示部１１０上の座標を確定する。このとき、座標確定部１５０は、センサ１２０から出力されてきた位置情報が示す位置を表示部１１０上へ投影した位置を座標として確定する。また、座標確定部１５０は、接近判断部１４０が表示部１１０に指が接近していないと判断するまで、確定した座標を固定する。
【００２６】
拡大処理部１６０は、接近判断部１４０が表示部１１０に指が接近したと判断した場合、表示部１１０に、表示部１１０が表示している画面を、座標確定部１５０が確定した座標を中心に所定の倍率で拡大して表示させる。また、拡大処理部１６０は、表示部１１０に、表示部１１０が表示している画面のうち、座標確定部１５０が確定した座標を中心とした所定の範囲を拡大して表示させる。
【００２７】
また、制御部１３０は、起動しているアプリケーションの各処理に応じた画面を表示部１１０に表示させる。また、制御部１３０は、接近判断部１４０が表示部１１０に指が接触した判断した場合の入力操作に基づいて、アプリケーションにおける所定の処理を行う。例えば、タッチパネルイベント（シングルタップイベント、ダブルタップイベント、等）とそのイベントが発生した表示部１１０上の座標との入力操作に基づいて、イベント処理を行い、表示部１１０に表示させる画面情報を更新する。なお、起動するアプリケーションの内容としてブラウザやメーラ等さまざまな種類が存在するが、アプリケーションの内容については本発明とは直接関係しないため、その詳細な構成はここでは省略する。
【００２８】
以下に、本形態における表示方法について説明する。
【００２９】
図２は、図１に示した表示装置１００における表示方法を説明するためのフローチャートである。
【００３０】
表示装置１００内にて所定のアプリケーションが起動すると、起動したアプリケーションに従って、ステップ１にて通常の画面が表示部１１０に表示される。ここで、通常の画面とは、拡大表示されていない画面である。
【００３１】
続いて、ステップ２にてセンサ１２０によって、表示部１１０上の静電容量が計測される。
【００３２】
センサ１２０によって計測された静電容量が変化した場合、その変化量がセンサ１２０から接近判断部１４０へ出力される。また、変化した位置を示す位置情報がセンサ１２０から座標確定部１５０へ出力される。
【００３３】
すると、センサ１２０から出力されてきた静電容量の変化量に基づいて、表示部１１０に指が接近したかどうかが、ステップ３にて接近判断部１４０によって判断される。具体的には、センサ１２０から出力されてきた静電容量の変化量が、あらかじめ設定されている第１の閾値以上であり、かつあらかじめ設定された第２の閾値よりも小さな値である場合、表示部１１０に指が接近したと判断される。
【００３４】
表示部１１０に指が接近していないと判断された場合、ステップ２の処理が行われる。
【００３５】
表示部１１０に指が接近したと判断された場合、ステップ４にて座標確定部１５０によって、センサ１２０から出力されてきた位置情報が示す位置に応じた表示部１１０上の座標が確定される。このとき、座標確定部１５０によって、センサ１２０から出力されてきた位置情報が示す位置を表示部１１０上へ投影した位置が座標として確定される。また、表示部１１０に指が接近していないと接近判断部１４０によって判断されるまで、座標確定部１５０によって、確定された座標が固定される。なお、センサ１２０から出力されてきた位置情報がそのまま座標として確定されるものであっても良い。
【００３６】
すると、表示部１１０に指が接近したことが接近判断部１４０から拡大処理部１６０へ通知され、また、確定された座標が座標確定部１５０から拡大処理部１６０へ通知される。
【００３７】
すると、ステップ５にて拡大処理部１６０によって、表示部１１０に、表示部１１０が表示している画面を、座標確定部１５０が確定した座標を中心にあらかじめ設定された倍率で拡大して表示させる処理が行われる。なお、拡大処理部１６０によって、表示部１１０に、表示部１１０が表示している画面のうち、座標確定部１５０が確定した座標を中心としたあらかじめ設定された範囲を拡大して表示させる処理が行われるものであっても良い。
【００３８】
ここで、それぞれの処理における表示部１１０に表示される画面について説明する。
【００３９】
図３は、ステップ１にて図１に示した表示部１１０に表示された画面の一例を示す図である。
【００４０】
図３に示すように、表示部１１０にボタン１〜２４が表示されている。これは、起動しているアプリケーションによって表示部１１０に表示されているものである。
【００４１】
図４は、図１に示した表示部１１０に表示された画面に指が接近し、ステップＳ４の処理によって中心座標が確定された様子を示す図である。
【００４２】
図４に示すように、表示部１１０に表示されたボタン１５に指２１０が接近すると、座標確定部１５０によって拡大される中心となる拡大中心座標（Ｘ１，Ｙ１）２００が指２１０の位置に応じて確定される。また、ステップ５で説明したあらかじめ設定された範囲を破線で囲んで示す。この破線で囲んだ範囲が拡大表示される。
【００４３】
図５は、図４に示した破線で囲んだ範囲がステップ５の処理によって拡大表示された様子を示す図である。
【００４４】
図５に示すように、表示部１１０に指２１０が接近して、拡大中心座標（Ｘ１，Ｙ１）２００が確定されると、図４に示した拡大中心座標（Ｘ１，Ｙ１）２００を中心とした破線で囲んだ範囲が拡大表示される。これにより、ボタン１５が選択し易くなる。
【００４５】
なお、図４および図５に示したように、拡大中心座標（Ｘ１，Ｙ１）２００を中心に円形状に拡大表示されるものであっても良いし、方形状に拡大表示されるものであっても良く、その拡大範囲の形状については規定しない。
【００４６】
ステップ５の処理の後、静電容量が変化した場合、当該変化量に基づいて、表示部１１０に指が接触したかどうかが、ステップ６にて接近判断部１４０によって判断される。具体的には、センサ１２０から出力されてきた静電容量の変化量が、あらかじめ設定されている第２の閾値以上である場合、表示部１１０に指が接触したと判断される。
【００４７】
表示部１１０に指が接触したと接近判断部１４０によって判断された場合、ステップ７にてタッチパネル機能を用いて、起動しているアプリケーションの処理が行われる。例えば、タッチパネルイベント（シングルタップイベント、ダブルタップイベント、等）とそのイベントが発生した表示部１１０上の座標との入力操作に基づいて、イベント処理が行われ、表示部１１０に表示させる画面情報が更新される。
【００４８】
なお、アプリケーションによって制御部１３０へ通知される画面情報に対して拡大処理部１６０で拡大表示のための画像が生成され、表示部１１０に表示させる処理に関しては、接近状態時の処理と同様であっても良い。つまり、このときの画面表示は、ステップ４で確定された座標を中心にされた拡大表示が維持されるものであっても良い。
【００４９】
ステップ７のアプリケーションの処理にて、拡大表示が維持されている場合、このタッチパネル機能を用いた入力操作に基づいて、センサ１２０から通知された位置（座標）が、拡大表示中の画像の拡大表示領域と非拡大表示領域とのどちらに含まれる座標であるかが判断される。
【００５０】
図６は、表示部１１０にて拡大表示された拡大表示領域と、拡大表示されない非拡大表示領域との一例を示す図である。
【００５１】
センサ１２０から拡大表示領域３１０内の座標が通知された場合、制御部１３０によって拡大表示前の元の表示画像の座標にあわせて座標変換が行われ、変換された座標がタッチパネル座標としてアプリケーションへ通知される。
【００５２】
一方、センサ１２０から非拡大表示領域３２０内の座標が通知された場合は、座標変換は行われず、その座標がそのままタッチパネル座標としてアプリケーションへ通知される。
【００５３】
また、制御部１３０では、表示装置１００を利用する利用者がタッチパネルデバイスに対して特定の入力操作（ジェスチャ操作）を行った場合、例えば、タッチパネルデバイス上を指で１度弾く操作（シングルタップ操作）や短い間隔で２度指で弾く操作（ダブルタップ操作）等を行った場合、いずれのジェスチャ操作が行われたかが制御部１３０にて判断され、タッチパネルイベント（シングルタップイベント、ダブルタップイベント、等）がアプリケーションへ通知される。
【００５４】
起動しているアプリケーションによって、制御部１３０から通知される座標情報によってＵＩのフォーカス表示の変更処理が行われる。そして、タッチパネルイベントが通知された際には、通知された座標情報と組み合わせて項目の選択処理等が行われ、処理結果を反映した画面情報が作成され、制御部１３０へ画面情報が受け渡される。アプリケーションの動作は、一般的なアプリケーションで実現されている処理内容と同様のため、詳細説明は省略する。
【００５５】
一方、ステップ６にて、表示部１１０に指が接触していないと接近判断部１４０によって判断された場合は、当該変化量に基づいて、表示部１１０に指が接近している状態かどうかが、ステップ８にて接近判断部１４０によって判断される。
【００５６】
表示部１１０に指が接近している状態であると接近判断部１４０によって判断された場合、ステップ６の処理が行われる。
【００５７】
また、ステップ８にて、表示部１１０に指が接近している状態ではないと接近判断部１４０によって判断された場合は、ステップ１の処理が行われる。このとき、座標確定部１５０によって固定されていた座標は解放される。
【００５８】
ここで、接近判断部１４０における、「接近」および「接触」の判断処理の具体例を説明する。上述した第１の閾値をＺ１、第２の閾値をＺ２と定義し、センサ１２０から通知される静電容量の変化量の最大値をＺｍａｘと定義すると、
０＜Ｚ１＜Ｚ２＜Ｚｍａｘ
となる。また、センサ１２０から通知される静電容量の変化量をＺと定義する。
【００５９】
センサ１２０が通知される静電容量の変化量Ｚが、
Ｚ＜Ｚ１
である場合、指が表示部１１０から遠く離れていると判断される。そのため、接近判断部１４０では、「非接近状態」であると判断される。図２に示したフローチャートを用いて説明したステップ３の処理において、「Ｎｏ」の判断となる。また、図２に示したフローチャートを用いて説明したステップ８の処理において、「Ｎｏ」の判断となる。
【００６０】
また、センサ１２０が通知される静電容量の変化量Ｚが、
Ｚ１≦Ｚ＜Ｚ２
である場合は、指が表示部１１０に接近していると判断される。そのため、接近判断部１４０では、「接近状態」であると判断される。図２に示したフローチャートを用いて説明したステップ３の処理において、「Ｙｅｓ」の判断となる。また、図２に示したフローチャートを用いて説明したステップ８の処理において、「Ｙｅｓ」の判断となる。
【００６１】
また、センサ１２０が通知される静電容量の変化量Ｚが、
Ｚ≧Ｚ２
である場合は、指が表示部１１０に接触していると判断される。そのため、接近判断部１４０では、「接触状態」であると判断される。図２に示したフローチャートを用いて説明したステップ６の処理において、「Ｙｅｓ」の判断となる。
【００６２】
以上説明したように、利用者の指がタッチセンサに接近すると表示画像の拡大を行うため、指が近づいた付近の選択項目の領域が大きくなり、利用者の選択操作誤りを軽減できる。
【００６３】
また、利用者の指がタッチセンサに接近することにより表示画像の拡大表示を行った際に、指がタッチセンサから離れる（非接近になる）まで拡大表示の中心点をずらさないことにより、拡大表示後に利用者が指を動かして選択（接触）する際の選択操作の誤りを軽減できる。
【００６４】
なお、上述した表示装置１００に設けられた各構成要素が行う処理は、目的に応じて作製された論理回路で行うようにしても良い。また、処理内容を記述したプログラムを表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００内に内蔵されたＲＯＭ、ＲＡＭ等のメモリやＨＤＤ等を指す。この記録媒体に記録されたプログラムは、表示装置１００内の制御部１３０にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００６５】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６６】
この出願は、２００９年９月２日に出願された日本出願特願２００９−２０２５１３を基礎とする優先権を主張し、その開示の全てをここに取り込む。
【図１】
2011027665.tif 000003
【図２】
2011027665.tif 000004
【図３】
2011027665.tif 000005
【図４】
2011027665.tif 000006
【図５】
2011027665.tif 000007
【図６】
2011027665.tif 000008
【国際調査報告】
2011027665.tif 000009
2011027665.tif 000010